(57)【要約】【課題】エレベータの換気ファンに堆積した塵埃を定期的かつ十分に除去でき、乗りかご内の環境衛生状態を向上させることができるエレベータの換気ファンの塵埃除去装置及び塵埃除去方法の提供。【解決手段】換気ファン２を備えたエレベータに設けられ、所定の時間の間、換気ファン２が停止状態であり、かつ乗りかご１内が無人であるかどうかを判定する判定部７２と、この判定部７２による判定結果に応じて、乗りかごドア３の開閉動作及び換気ファン２の回転速度を制御する制御部７３とを備え、この制御部７３は、判定部７２によって換気ファン２が停止状態であり、かつ乗りかご１内が無人であると判定された場合に、乗りかごドア３を開扉させた状態で換気ファン２の回転数を所定の回転速度よりも大きい回転速度で稼働させるようにした。【選択図】図１
2014015282.tif 000002
【特許請求の範囲】
【請求項１】
昇降路内に設けられた乗りかごと、この乗りかごに開閉可能に設けられた乗りかごドアと、前記乗りかごに設けられ、当該乗りかご内に送風して換気する換気ファンとを備え、この換気ファンは通常運転時に所定の回転速度で回転するエレベータに設けられ、
所定の時間の間、前記換気ファンが停止状態であり、かつ前記乗りかご内が無人であるかどうかを判定する判定部と、
この判定部による判定結果に応じて、前記乗りかごドアの開閉動作及び前記換気ファンの回転速度を制御する制御部とを備え、
この制御部は、前記判定部によって前記換気ファンが停止状態であり、かつ前記乗りかご内が無人であると判定された場合に、前記乗りかごドアを開扉させた状態で前記換気ファンの回転数を前記所定の回転速度よりも大きい回転速度で稼働させるようにしたことを特徴とするエレベータの換気ファンの塵埃除去装置。
【請求項２】
請求項１に記載のエレベータの換気ファンの塵埃除去装置において、
前記換気ファンの稼働時間よりも前記乗りかごドアの開扉時間を長く設定したことを特徴とするエレベータの換気ファンの塵埃除去装置。
【請求項３】
昇降路内に設けられた乗りかごと、この乗りかごに開閉可能に設けられた乗りかごドアと、前記乗りかごに設けられ、当該乗りかご内に送風して換気する換気ファンとを備え、この換気ファンは通常運転時に所定の回転速度で回転するエレベータに設けられ、所定の時間の間、前記換気ファンが停止状態であり、かつ前記乗りかご内が無人であるかどうかを判定する判定部と、この判定部による判定結果に応じて、前記乗りかごドアの開閉動作及び前記換気ファンの回転速度を制御する制御部とを備え、この制御部は、前記判定部によって前記換気ファンが停止状態であり、かつ前記乗りかご内が無人であると判定された場合に、前記乗りかごドアを開扉させた状態で前記換気ファンの回転数を前記所定の回転速度よりも大きい回転速度で稼働させるようにしたエレベータの換気ファンの塵埃除去装置に用いるエレベータの換気ファンの塵埃除去方法において、
前記判定部が前記所定の時間の間、前記換気ファンが停止状態であり、かつ前記乗りかご内が無人であるかどうかを判定する判定手順と、
この判定手順において前記判定部によって前記換気ファンが停止状態であり、かつ前記乗りかご内が無人であると判定された後、前記制御部が前記乗りかごドアを開扉させ、この状態で前記換気ファンの回転数を前記所定の回転速度よりも大きい回転速度で稼働させる稼働手順とを備えたことを特徴とするエレベータの換気ファンの塵埃除去方法。
【発明の詳細な説明】
【技術分野】
【０００１】
本発明は、エレベータの換気ファンの表面に堆積した塵埃を除去するエレベータの換気ファンの塵埃除去装置及び塵埃除去方法に関する。
【背景技術】
【０００２】
従来のエレベータの乗りかご上に設けられた換気ファンにおいては、例えば秋から冬の間に換気ファンの稼働を停止させることがよく行われている。そのため、換気ファンの表面には昇降路内等に浮遊している塵埃が堆積する場合がある。このような状況に対し、換気ファンを稼働開始させる時期においては、換気ファンの表面に堆積した塵埃を保守員が清掃し除去した後に、保守員が換気ファンを稼働開始させていた。
【０００３】
このような換気ファンを備えたエレベータに関連する従来技術の１つとして、換気ファン等の乗りかご内機器の制御を遠隔で行い、エレベータ設置場所での作業を不要とするエレベータ乗りかご内機器の遠隔制御装置が知られている（例えば、特許文献１参照）。
【０００４】
この従来技術のエレベータ乗りかご内機器の遠隔制御装置は、主にエレベータの保守会社の保守拠点より遠隔地に設置されたエレベータの換気ファンを電話回線を介して遠隔操作するものであるが、近年のインターネット等の通信技術の応用により、エレベータを所有する顧客やエレベータの管理を行う管理人が当該遠隔制御装置を利用してエレベータの換気ファンを遠隔操作することが可能となってきている。
【０００５】
また、特許文献１に開示された従来技術のようにエレベータの換気ファンの動作を遠隔制御した場合に、換気ファンが動作を開始した際に乗り合わせた乗客に対して、換気ファンの表面に堆積した塵埃の飛散による不快感を与えることを防止するエレベータ用乗りかご内換気ファンの制御装置も知られている（例えば、特許文献２参照）。
【先行技術文献】
【特許文献】
【０００６】
【特許文献１】特開２００２−３０８５３９号公報
【特許文献２】特開２００５−２５５３７１号公報
【発明の概要】
【発明が解決しようとする課題】
【０００７】
特許文献１に開示された従来技術のエレベータ乗りかご内機器の遠隔制御装置では、上述したように換気ファンの遠隔操作機能を顧客や管理人に提供した場合、この換気ファンの遠隔操作機能は随時利用可能であるが、例えば顧客や管理人が長期間停止させていた換気ファンを遠隔操作して稼働を開始させた場合、当該換気ファンは保守員による清掃がなされていないので、換気ファンの表面に堆積した塵埃が換気ファンの稼働により飛散してエレベータの乗りかご内に充満し、エレベータを利用する乗客に不快感を与える虞がある。
【０００８】
特許文献２に開示された従来技術のエレベータ用乗りかご内換気ファンの制御装置では、上述のような状況を防止するために、換気ファンの遠隔操作機能により換気ファンの稼働開始が指示されている場合に、エレベータの休止状態が予め定められた時間以上継続したことを確認すると共に、換気ファンの稼働を開始することにしているが、これにより乗客にかかる塵埃を抑制できたとしても、エレベータの換気ファンに堆積した塵埃が十分に除去されているわけではない。その上、エレベータが休止状態のときには、防犯や防災を目的としてエレベータの乗りかごドアが閉じられているので、換気ファンの表面に堆積した塵埃が稼働により振り落とされた際に乗りかご内に留まることになり、乗りかご内の環境衛生上好ましくない。
【０００９】
本発明は、このような従来技術の実情からなされたもので、その目的は、エレベータの換気ファンに堆積した塵埃を定期的かつ十分に除去でき、乗りかご内の環境衛生状態を向上させることができるエレベータの換気ファンの塵埃除去装置及び塵埃除去方法を提供することにある。
【課題を解決するための手段】
【００１０】
上記の目的を達成するために、本発明のエレベータの換気ファンの塵埃除去装置は、昇降路内に設けられた乗りかごと、この乗りかごに開閉可能に設けられた乗りかごドアと、前記乗りかごに設けられ、当該乗りかご内に送風して換気する換気ファンとを備え、この換気ファンは通常運転時に所定の回転速度で回転するエレベータに設けられ、所定の時間の間、前記換気ファンが停止状態であり、かつ前記乗りかご内が無人であるかどうかを判定する判定部と、この判定部による判定結果に応じて、前記乗りかごドアの開閉動作及び前記換気ファンの回転速度を制御する制御部とを備え、この制御部は、前記判定部によって前記換気ファンが停止状態であり、かつ前記乗りかご内が無人であると判定された場合に、前記乗りかごドアを開扉させた状態で前記換気ファンの回転数を前記所定の回転速度よりも大きい回転速度で稼働させるようにしたことを特徴としている。
【００１１】
また、本発明に係るエレベータの換気ファンの塵埃除去方法は、昇降路内に設けられた乗りかごと、この乗りかごに開閉可能に設けられた乗りかごドアと、前記乗りかごに設けられ、当該乗りかご内に送風して換気する換気ファンとを備え、この換気ファンは通常運転時に所定の回転速度で回転するエレベータに設けられ、所定の時間の間、前記換気ファンが停止状態であり、かつ前記乗りかご内が無人であるかどうかを判定する判定部と、この判定部による判定結果に応じて、前記乗りかごドアの開閉動作及び前記換気ファンの回転速度を制御する制御部とを備え、この制御部は、前記判定部によって前記換気ファンが停止状態であり、かつ前記乗りかご内が無人であると判定された場合に、前記乗りかごドアを開扉させた状態で前記換気ファンの回転数を前記所定の回転速度よりも大きい回転速度で稼働させるようにしたエレベータの換気ファンの塵埃除去装置に用いるエレベータの換気ファンの塵埃除去方法において、前記判定部が前記所定の時間の間、前記換気ファンが停止状態であり、かつ前記乗りかご内が無人であるかどうかを判定する判定手順と、この判定手順において前記判定部によって前記換気ファンが停止状態であり、かつ前記乗りかご内が無人であると判定された後、前記制御部が前記乗りかごドアを開扉させ、この状態で前記換気ファンの回転数を前記所定の回転速度よりも大きい回転速度で稼働させる稼働手順とを備えたことを特徴としている。
【発明の効果】
【００１２】
本発明のエレベータの換気ファンの塵埃除去装置及び塵埃除去方法によれば、エレベータの換気ファンに堆積した塵埃を定期的かつ十分に除去でき、乗りかご内の環境衛生状態を向上させることができる。前述した以外の課題、構成及び効果は、以下の実施形態の説明により明らかにされる。
【図面の簡単な説明】
【００１３】
【図１】本発明に係るエレベータの塵埃除去装置の一実施形態の構成を示す図である。
【図２】本実施形態の動作を説明するフローチャートである。
【図３】本実施形態に備えられた換気ファンの回転速度と乗りかごドアの開閉状態との関係を説明する図であり、左図は通常動作のときの図、右図は除塵動作のときの図である。
【発明を実施するための形態】
【００１４】
以下、本発明に係るエレベータの換気ファンの塵埃除去装置及び塵埃除去方法を実施するための形態を図に基づいて説明する。
【００１５】
本発明に係るエレベータの換気ファンの塵埃除去装置の一実施形態は、例えば建物に設置されたエレベータに設けられる。このエレベータは、例えば図１に示すように昇降路２０内に設けられた乗りかご１と、この乗りかご１に開閉可能に設けられた乗りかごドア３と、乗りかご１に設けられ、当該乗りかご１内に送風して換気する換気ファン２とを備えている。
【００１６】
また、エレベータは、例えば乗場に設けられ、乗りかごドア３と連動して開閉するホールドア４と、乗りかご１と主ロープを介して昇降路２０内に吊り下げられた釣合い錘（図示せず）と、主ロープが巻き掛けられた巻上機と、昇降路２０に設けられ、乗りかご１及び換気ファン２とテールコード５を介して接続されて通信を行う制御盤６とを備えている。なお、換気ファン２は、例えば乗りかご１内に設けられた手動スイッチ（図示せず）を押したり、あるいは遠隔操作により稼働可能になっている。
【００１７】
そして、制御盤６は、通常運転を行う際に、乗りかごドア３及びホールドア４を閉扉して巻上機を駆動することにより、巻上機の回転方向に応じて乗りかご１を昇降させると共に、換気ファン２を所定の回転速度（以下、便宜的に通常動作回転速度と呼ぶ）で回転させて昇降路２０内の空気を乗りかご１の室内に送るようにしている。
【００１８】
ここで、例えば秋冬等の換気空調を必要としない時期において、換気ファン２を長期停止させた場合、換気ファン２の羽根上に昇降路２０内を浮遊している塵埃が降り積もり付着する場合がある。この塵埃は、エレベータを所有する顧客やエレベータの管理を行う管理人が保守員に換気ファン２の稼働開始を依頼した場合には、保守員が換気ファン２の羽根の清掃を実施してから換気ファン２を稼働開始させるため、問題は生じない。
【００１９】
しかしながら、顧客や管理人が遠隔操作により換気ファン２を稼働開始させた場合には、この換気ファン２の羽根の清掃が行われていないため、換気ファン２に降り積もった塵埃が剥落して昇降路２０内から送風された空気と共に乗りかご１内に充満し、エレベータの利用者に不快感を抱かせる場合が発生する可能性があった。
【００２０】
そこで、本実施形態は、換気ファン２に堆積した塵埃を定期的に除去する除塵動作を行う塵埃運転装置７を備えている。この塵埃運転装置７は、例えば外部に配置されると共に、制御盤６に接続され、後述するように制御盤６の動作を制御して除塵動作を行うようにしている。
【００２１】
塵埃運転装置７は、例えば所定の第１時間の間、換気ファン２が停止状態であり、かつ乗りかご１内が無人であるかどうかを判定する判定部７２と、この判定部７２による判定結果に応じて、乗りかごドア３の開閉動作及び換気ファン２の回転速度を制御する制御部７３とを有している。
【００２２】
この制御部７３は、乗りかごドア３及びホールドア４を開扉させるドア開扉信号９、及び換気ファン２を起動させる換気ファン起動信号１０を制御盤６に対して出力することで、制御盤６及びテールコード５を介して乗りかごドア３とホールドア４の開閉動作及び換気ファン２の起動動作を制御するようにしている。
【００２３】
本実施形態では、塵埃運転装置７は、例えば判定部７２に接続され、時間を計測する計時部７１を有している。制御盤６は、例えば判定部７２に接続され、乗りかご１内が無人であり、使用されていないことを示す無人不使用信号８を検出し、この検出した無人不使用信号８を判定部７２に出力するようにしている。なお、この無人不使用信号８は、例えば乗りかご１の利用がなく、所定の第１時間が経過した際に乗りかご１内に設けられた照明（図示せず）を消灯することで出力される信号である。
【００２４】
また、判定部７２は、制御盤６から出力された無人不使用信号８を入力すると共に、制御部７３から制御盤６へ出力される換気ファン起動信号１０を参照するようにしている。従って、判定部７２は、計時部７１によって計測された時間が所定の第１時間を経過しているかどうかを確認し、計時部７１によって計測された時間が所定の第１時間を経過するまで換気ファン起動信号１０が制御盤６へ出力されず、かつ計時部７１によって計測された時間が所定の第１時間を経過した際に制御盤６から無人不使用信号８が入力されれば、換気ファン２が停止状態であり、かつ乗りかご１内が無人であると判定するようにしている。
【００２５】
一方、判定部７２は、計時部７１によって計測された時間が所定の第１時間を経過していないときに、換気ファン起動信号１０が制御盤６へ出力され、あるいは計時部７１によって計測された時間が所定の第１時間を経過した際に制御盤６から無人不使用信号８が入力されなければ、換気ファン２が停止状態でなく、又は乗りかご１内が無人でないと判定するようにしている。
【００２６】
本実施形態では、塵埃運転装置７の制御部７３は、判定部７２によって換気ファン２が停止状態であり、かつ乗りかご１内が無人であると判定された場合に、乗りかごドア３を開扉させた状態で換気ファン２の回転数を通常動作回転速度よりも大きい回転速度（以下、便宜的に除塵動作回転速度と呼ぶ）で稼働させるようにしている。また、本実施形態は、換気ファン２の稼働時間よりも乗りかごドア３の開扉時間を長く設定しており、例えば換気ファン２の稼働時間よりも乗りかごドア３の開扉時間を所定の第２時間だけ長く設定している。
【００２７】
制御部７３は、例えば判定部７２によって換気ファン２が停止状態であり、かつ乗りかご１内が無人であると判定された場合に、ドア開扉信号９と換気ファン起動信号１０に加え、換気ファン２の回転速度を上述した除塵動作回転速度で回転させる換気ファン高速回転信号１１を制御盤６に対して出力し、ドア開扉信号９を換気ファン起動信号１０及び換気ファン高速回転信号１１の出力時間よりも所定の第２時間だけ長い時間、出力するようにしている。
【００２８】
そして、制御盤６は、これらのドア開扉信号９、換気ファン起動信号１０、及び換気ファン高速回転信号１１が入力されると、テールコード５を介して乗りかごドア３及びホールドア４を開扉させると共に、換気ファン２を除塵動作回転速度で回転させる。
【００２９】
このように構成した本実施形態に係るエレベータの換気ファンの塵埃除去装置にあっては例えば以下の手順のようにして換気ファンの除塵動作が行われる。
【００３０】
図２は本実施形態の動作を説明するフローチャートである。
【００３１】
本発明に係るエレベータの換気ファンの塵埃除去方法の一実施形態は、塵埃運転装置７の判定部７２が所定の第１時間の間、換気ファン２が停止状態であり、かつ乗りかご１内が無人であるかどうかを判定する判定手順と、この判定手順において判定部７２によって換気ファン２が停止状態であり、かつ乗りかご１内が無人であると判定された後、制御部７３が乗りかごドア３を開扉させ、この状態で換気ファン２の回転数を除塵動作回転速度で稼働させる稼働手順とを備えている。
【００３２】
具体的には、図２に示すようにまず除塵除去装置７の判定部７２は、除塵動作の基準として参照している計時部７１をリセットする（ステップ（以下、Ｓと記す）１）。このとき、計時手段７１はゼロクリアされ、最初から計時を開始する。
【００３３】
次に、判定部７２は、制御部７３から制御盤６へ出力される換気ファン起動信号１０を参照して乗りかご１内の換気ファン２が停止しているかどうかを判定する（Ｓ２）。判定部７２は、換気ファン２が停止していると判定した場合、計時部７１を参照して計時部７１によって計測された時間が所定の第１時間を経過しているかどうかを判定する（Ｓ３）。一方、判定部７２は、換気ファン２が停止していないと判定した場合、手順Ｓ２の動作に戻る。
【００３４】
次に、手順Ｓ３において計時部７１によって計測された時間が所定の第１時間を経過していると判定されると、判定部７２は、無人不使用信号８の入力の有無を確認して乗りかご１内が無人であるかどうかを判定する（Ｓ４）。一方、判定部７２は、計時部７１によって計測された時間が所定の第１時間を経過していないと判定した場合、手順Ｓ２の動作に戻る。
【００３５】
次に、手順Ｓ４において乗りかご１内が無人であると判定された場合、制御部７３は、換気ファン２の除塵動作を行わせる除塵運転を開始する。すなわち、制御部７３は、ドア開扉信号９を制御盤６へ出力する。そして、制御盤６は、このドア開扉信号９を入力することにより、乗りかご１の乗りかごドア３及び乗場のホールドア４を開放する（Ｓ５）。
【００３６】
次に、制御部７３は、換気ファン起動信号１０及び換気ファン高速回転信号１１を制御盤６へ出力する。制御盤６は、換気ファン起動信号１０及び換気ファン高速回転信号１１が入力されると、換気ファン２を通常動作回転速度よりも大きい除塵動作回転速度で回転させる指示を換気ファン２に対して行い、換気ファン２は塵埃動作回転速度で回転する（Ｓ６）。
【００３７】
ここで、除塵運転の実施中にエレベータの乗場に設けられたホール呼びボタン（図示せず）が押された場合には、制御盤６は乗りかご１の照明を点灯し、乗りかご１の稼働準備を開始する。これにより、無人不使用信号８が制御盤６から判定部７２へ出力されなくなるので、判定部７２は無人不使用信号８が入力されなくなったことを検出し、すなわち乗りかご１の呼びがあったことを検出し（Ｓ７）、制御部７３は換気ファン高速回転信号１１の出力を停止することにより、制御盤６に換気ファン２の除塵動作回転速度での回転を停止させる（Ｓ１２）。そして、制御部７３は、直後にドア開扉信号９の出力を停止することにより、制御盤６に乗りかごドア３とホールドア４を閉じさせ（Ｓ１３）、手順Ｓ１の動作に戻る。本動作により、除塵動作は速やかに中断されるので、エレベータの乗りかご１は通常運転が可能となる。
【００３８】
一方、除塵運転の実施中にエレベータの乗場に設けられたホール呼びボタンが押されなかった場合には、判定部７２は、計時部７１によって計測された時間を参照し、換気ファン２が除塵動作回転速度で回転した時間が予め定めた時限を経過しているかどうかを判定する（Ｓ８）。
【００３９】
このとき、判定部７２によって換気ファン２が除塵動作回転速度で回転した時間が予め定めた時限を経過していないと判定された場合には、手順Ｓ７の動作に戻る。一方、手順Ｓ８において判定部７２によって換気ファン２が除塵動作回転速度で回転した時間が予め定めた時限を経過したと判定された場合には、制御部７３は換気ファン高速回転信号１１の出力を停止することにより、制御盤６に換気ファン２の除塵動作回転速度での回転を停止させ（Ｓ９）、その後所定の第２時間待機する（Ｓ１０）。
【００４０】
そして、制御部７３は、ドア開扉信号９の出力を停止することにより、制御盤６に乗りかごドア３及びホールドア４を閉扉させ（Ｓ１１）、手順Ｓ１の動作に戻る。本動作により、除塵動作は完了し、エレベータの乗りかご１は通常運転が可能となる。
【００４１】
次に、本実施形態に係る除塵運転装置７の除塵動作における換気ファンの回転速度と乗りかごドア３及びホールドア４の動作を、通常動作における換気ファンの回転速度と乗りかごドア３及びホールドア４の動作と対比させて詳細に説明する。
【００４２】
図３は、本実施形態に備えられた換気ファンの回転速度と乗りかごドアの開閉状態との関係を説明する図であり、左図は通常動作のときの図、右図は除塵動作のときの図である。
【００４３】
本実施形態では、図３左図に示すように通常動作が行われる場合には、ホール呼びボタンが押されると、換気ファン２は通常の回転数である通常動作回転速度Ｒ１で回転を開始し、同時に乗りかごドア３及びホールドア４が開く（Ｔ１）。そして、乗客が降りてエレベータの利用が終わり、乗りかごドア３及びホールドア４が閉じると（Ｔ２）、しばらくして換気ファン２が停止する（Ｔ３）。
【００４４】
一方、図３右図に示すように除塵動作が行われる場合には、換気ファン２は通常動作回転速度Ｒ１よりも大きい除塵動作回転速度Ｒ２（Ｒ１＜Ｒ２）で回転を開始し、同時に乗りかごドア３及びホールドア４が開扉する（Ｔ４）。そして、換気ファン２が除塵動作回転速度で回転した時間が予め定めた時限を経過した時点で、換気ファン２は回転を停止し（Ｔ５）、所定の第２時間経過した後に乗りかごドア３及びホールドア４が閉扉する（Ｔ６）。この動作により、本実施形態では換気ファン２の稼働時間より乗りかごドア３及びホールドア４の開扉時間が長くなっている。
【００４５】
このように構成した本実施形態に係る塵埃除去装置及び塵埃除去方法によれば、換気ファン２が長期に渡って停止し、換気ファン２の羽根の表面に塵埃が堆積していても、手順Ｓ２〜Ｓ４において所定の第１時間、判定部７２によって換気ファン２が停止状態であり、かつ乗りかご１内が無人であると判定される度に、制御部７３が制御盤６を介して換気ファン２を通常動作回転速度よりも大きい除塵動作回転速度で予め定めた時限の間、回転させることにより、換気ファン２の羽根上の塵埃を振り落とすことができる。
【００４６】
さらに、換気ファン２の除塵動作回転速度での回転は、手順Ｓ５に示すように乗りかごドア３及びホールドア４が開扉した状態で行われるので、換気ファン２の羽根上から降り落ちた塵埃を乗りかご１の室外へ導くことができ、塵埃が室内に留まることを抑えることができる。このように、本実施形態は、エレベータの換気ファンに堆積した塵埃を定期的かつ十分に除去でき、乗りかご１内の環境衛生状態を向上させることができる。従って、保守員等による換気ファン２の羽根の清掃を不要とし、例えば遠隔からの換気ファン２の制御手段を持つ顧客に対しては、乗りかご１の換気ファン２を快適な環境条件の下で稼働開始させることができる。
【００４７】
また、本実施形態は、換気ファン２の稼働時間よりも乗りかごドア３の開扉時間を所定の第２時間だけ長く設定している。これは、換気ファン２の動作が停止した直後においても乗りかご１の室内の空気が流れ続けるので、この空気の流れが終息し塵埃を含んだ空気が乗りかご１の室外へ排出完了されるのに必要な時間を所定の第２時間として確保している。
【００４８】
従って、手順Ｓ９において換気ファン２の動作が停止した後も、手順Ｓ１０において乗りかごドア３及びホールドア４が所定の第２時間の間、開放されるので、塵埃を含んだ空気を乗りかご１の室外へより排出することができる。これにより、乗りかご１内の空気を清潔に保つことができる。
【００４９】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００５０】
また、本実施形態は、塵埃運転装置７は制御盤６の外部に設けられた場合について説明したが、この場合に限らず、例えば除塵運転装置７を制御盤６内へ設置してもよいし、除塵運転装置７は制御盤６を構成するマイコンソフトウェア等の形態で実現してもよい。
【符号の説明】
【００５１】
１  乗りかご
２  換気ファン
３  乗りかごドア
４  ホールドア
５  テールコード
６  制御盤
７  除塵運転装置
８  無人不使用信号
９  ドア開扉信号
１０  換気ファン起動信号
１１  換気ファン高速回転信号
７１  計時部
７２  判定部
７３  制御部
【図１】
2014015282.tif 000003
【図２】
2014015282.tif 000004
【図３】
2014015282.tif 000005